(57)【要約】【課題】  本発明は、関連する先行技術の制約と不都合な点による１つ又は複数の問題を実質的に取り除く方法及びシステムを提供する。【解決手段】  それぞれ電話番号が付帯している各入信電話呼び出しを管理するための方法及びシステムが開示されている。選択された電話番号の優先コードと関係付けるため、時間制約、電話利用状況、及び処理オプションが選択される。優先コードは、選択された時間制約、電話利用状況、及び処理オプションに基いて、選択された各番号に割り当てられる。入信呼び出しに付帯する番号が選択された番号であれば、入信呼び出しに付帯する選択された番号に割り当てられた優先コードは、電話が入信呼び出しを受け取る期間と、電話が入信呼び出しを受け取る時間の間の電話利用状況とに基いて決定される。入信呼び出しは、次に、入信呼び出しに付帯する番号に割り当てられた優先コードに関係付けられている処理オプションに従って管理される。【選択図】          図３
2005033783.tif 000002
【特許請求の範囲】
【請求項１】
電話ユーザーの電話への入信電話呼び出しを管理するための方法において、各入信電話呼び出しにはそれぞれ電話番号が付帯しており、前記方法は、
選択された各電話番号に優先コードを割り当てるために電話番号を選択する段階と、
選択された各電話番号の優先コードと関係付けるために時間制約を選択する段階であって、前記時間制約は、電話ユーザーの電話が、選択された電話番号が付帯する入信電話呼び出しを受け取ることのできる期間を示している、選択する段階と、
選択された各電話番号の優先コードと関係付けるために電話利用状況を選択する段階であって、前記電話利用状況は、電話ユーザーの電話が、選択された電話番号が付帯する入信電話呼び出しを受け取る時間の間の、電話呼び出しを受け取ることのできる電話ユーザーの電話の状況を示している、選択する段階と、
選択された各電話番号の優先コードと関係付けるために処理オプションを選択する段階と、
前記選択された時間制約と、選択された電話利用状況と、選択された処理オプションとに基いて、選択された各電話番号に優先コードを割り当てる段階と、
前記選択された各電話番号に割り当てられた優先コードをメモリ媒体内に記憶する段階と、
電話ユーザーの電話への入信電話呼び出しに付帯する電話番号が、選択された電話番号の内の１つであるか否かを判定する段階と、
入信電話呼び出しに付帯する電話番号が、選択された電話番号である場合は、
入信電話呼び出しに付帯する選択された電話番号に割り当てられている前記優先コードを、電話ユーザーの電話が入信電話呼び出しを受け取る期間と、電話ユーザーの電話が入信電話呼び出しを受け取る時間の間の電話利用状況とに基いて判定するために、前記メモリ媒体にアクセスする段階と、
入信電話呼び出しに付帯する選択された電話番号に割り当てられている前記優先コードに関係付けられた前記処理オプションに従って、入信電話呼び出しを管理する段階と、から成ることを特徴とする方法。
【請求項２】
入信電話呼び出しに付帯する電話番号が、選択された電話番号の内の１つであるか否かを判定する段階と、
所定のデフォルト処理オプションを選択する段階と、
入信電話呼び出しに付帯する電話番号が選択された電話番号の内の１つでない場合、前記デフォルト処理オプションに従って入信電話呼び出しを管理する段階と、を更に含んでいることを特徴とする、請求項１に記載の方法。
【請求項３】
入信電話呼び出しを緊急電話番号と認識する段階と、
前記入信電話呼び出しを全処理オプションに従って管理して、電話ユーザーが確実に受け取れるようにする段階と、を更に含んでいることを特徴とする、請求項１に記載の方法。
【請求項４】
前記緊急電話番号は、電話ユーザーによって定義されることを特徴とする、請求項３に記載の方法。
【請求項５】
電話発信人が、電話呼び出しの設定の間に特定の優先コードを入力した場合、入信電話呼び出しを緊急電話番号として割り当てる段階と、
前記入信電話呼び出しを、電話ユーザーが選択した優先コードと、関係付けられた処理オプションとに従って処理する段階と、を更に含んでいることを特徴とする、請求項４に記載の方法。
【請求項６】
前記時間制約は日付制約で更に定義されることを特徴とする、請求項１に記載の方法。
【請求項７】
前記処理オプションは、選択された電話番号が付帯する入信電話呼び出しをボイスメールシステムへ直接転送する段階を含んでいることを特徴とする、請求項１に記載の方法。
【請求項８】
前記処理オプションは、選択された電話番号が付帯する入信電話呼び出しをページャーへ直接転送する段階を含んでいることを特徴とする、請求項１に記載の方法。
【請求項９】
前記処理オプションは、選択された電話番号が付帯する入信電話呼び出しを携帯電話へ直接転送する段階を含んでいることを特徴とする、請求項１に記載の方法。
【請求項１０】
前記処理オプションは、選択された電話番号が付帯する入信電話呼び出しをｅメールシステムに直接変換する段階を含んでいることを特徴とする、請求項１に記載の方法。
【請求項１１】
前記処理オプションは、選択された電話番号が付帯する入信電話呼び出しを電話ユーザーが指定した電話番号へ直接転送する段階を含んでいることを特徴とする、請求項１に記載の方法。
【請求項１２】
前記処理オプションは、選択された電話番号が付帯する入信電話呼び出しを呼び出し待機システムへ直接転送する段階を含んでいることを特徴とする、請求項１に記載の方法。
【請求項１３】
電話ユーザーが電話ユーザーの電話を使っており、選択された電話番号を有する電話発信人からの入信電話呼び出しが電話ユーザーの電話に送られてきたとき、前記方法は、
電話ユーザーに、入信電話呼び出しに付帯する前記電話番号を表示し、入信電話呼び出しの電話発信人の身元を表示する段階と、
電話ユーザーに、入信電話呼び出しに付帯する電話番号に割り当てられている優先コードに基いて、入信電話呼び出しに対する処理オプションを表示する段階と、
電話ユーザーに、入信電話呼び出しに対するオーバーライド処理オプションを提供する段階と、
前記オーバーライド処理オプションを、電話ユーザーが選択すれば、実行する段階と、
電話ユーザーが前記提供する段階に対して反応しない場合は、入信電話呼び出しの電話番号に関係付けられた処理オプションを実行する段階と、を更に含んでいることを特徴とする、請求項１に記載の方法。
【請求項１４】
前記電話番号を選択する段階は、対話式インターネットウェブサイトにアクセスして、電話番号を選択し、優先コードを選択された電話番号に割り当てる段階を含んでおり、
前記時間制約を選択する段階は、ウェブサイトにアクセスして、時間制約を選択し、選択された各電話番号の優先コードと関係付ける段階を含んでおり、
前記電話利用状況を選択する段階は、ウェブサイトにアクセスして、電話利用状況を選択し、選択された各電話番号の優先コードと関係付ける段階を含んでおり、
前記処理オプションを選択する段階は、ウェブサイトにアクセスして、処理オプションを選択し、選択された各電話番号の優先コードと関係付ける段階を含んでおり、
前記判定する段階は、メモリ媒体にアクセスして、電話ユーザーの電話への入信電話呼び出しに付帯する電話番号が、選択された電話番号の内の１つであるか否かを判定する段階を含んでおり、
前記入信電話呼び出しを管理する段階は、メモリ媒体にアクセスして、入信電話呼び出しを、入信電話呼び出しに付帯する選択された電話番号に割り当てられている優先コードに関係付けられている処理オプションに従って管理する段階を含んでいる、ことを特徴とする、請求項１に記載の方法。
【請求項１５】
メモリ媒体にアクセスして、入信電話呼び出しに付帯する電話番号が選択された電話番号の内の１つでないかを判定する段階と、
電話サービスプロバイダのプロセッサを使って、所定のデフォルト処理オプションを選択する段階と、
前記入信電話呼び出しに付帯する電話番号が選択された電話番号の内の１つでない場合、電話サービスプロバイダのプロセッサを使って、前記入信電話呼び出しをデフォルト処理オプションに従って管理する段階と、を更に含んでいることを特徴とする、請求項１４に記載の方法。
【請求項１６】
メモリ媒体にアクセスして、入信電話呼び出しを緊急電話番号と認識する段階と、
電話サービスプロバイダのプロセッサを使って、前記入信電話呼び出しを全処理オプションに従って管理し、ユーザーが確実に受け取れるようにする段階と、を更に含んでいることを特徴とする、請求項１５に記載の方法。
【請求項１７】
ウェブサイトを使って、緊急電話番号を定義する段階と、
前記緊急電話番号をメモリ媒体に記憶する段階と、を更に含んでいることを特徴とする、請求項１６に記載の方法。
【請求項１８】
前記メモリ媒体は、ウェブベースのデータベースであることを特徴とする、請求項１４に記載の方法。
【請求項１９】
前記電話サービスプロバイダのプロセッサは、ウェブベースのプロセッサであることを特徴とする、請求項１５に記載の方法。
【請求項２０】
電話ユーザーの電話への入信電話呼び出しを管理するための方法において、各入信電話呼び出しには、それぞれ電話番号が付帯しており、前記方法は、
優先コードを電話番号に割り当てるため、電話ユーザーの電話に前記電話番号を入力する段階と、
選択された各電話番号の優先コードと関係付け、電話ユーザーの電話に入力するために時間制約を選択する段階であって、前記時間制約は、電話ユーザーの電話が、選択された電話番号が付帯する入信電話呼び出しを受け取ることのできる時期を示している、選択する段階と、
選択された各電話番号の優先コードと関係付け、電話ユーザーの電話に入力するために電話利用状況を選択する段階であって、前記電話利用状況は、電話ユーザーの電話が、選択された電話番号が付帯する入信電話呼び出しを受け取る時間の間の、前記電話ユーザーの電話が入信電話呼び出しを受け取ることのできる状態を示している、選択する段階と、
選択された各電話番号の優先コードと関係付け、電話ユーザーの電話に入力するために処理オプションを選択する段階と、
優先コードを、前記選択された時間制約と、電話の利用状況と、処理オプションとに基いて、選択された各電話番号に割り当てる段階と、
選択された各電話番号に対する前記優先コードを、電話ユーザーの電話内のメモリ媒体内に記憶する段階と、
電話ユーザーの電話への入信電話呼び出しに付帯する電話番号が、選択された電話番号の内の１つであるか否か判定する段階と、
前記入信電話呼び出しに付帯する電話番号が、選択された電話番号の内の１つである場合は、入信電話呼び出しに付帯する選択された電話番号に割り当てられている優先コードを、電話ユーザーの電話が入信電話呼び出しを受け取る期間と、電話ユーザーの電話が入信電話呼び出しを受け取る時間の間の電話利用状況とに基いて判定するために、前記メモリ媒体にアクセスする段階と、
選択された電話番号が付帯する入信電話呼び出しを、入信電話呼び出しに付帯する選択された電話番号に割り当てられている優先コードに関係付けられている前記処理オプションに従って管理する段階と、から成ることを特徴とする方法。
【請求項２１】
前記メモリ媒体は、電話ユーザーの電話内に収容されていることを特徴とする、請求項２０に記載の方法。
【請求項２２】
電話ユーザーの電話への入信電話呼び出しの処理を、電話ユーザーが定めた優先コード付け方式に基いて制御するためのシステムにおいて、各入信電話呼び出しには、それぞれ電話番号が付帯しており、前記システムは、
電話ユーザーが、優先コードを割り当てるために電話番号を選択し、前記優先コードと関係付けるために、選択された電話番号が付帯する入信電話呼び出しを電話ユーザーの電話が受け取ることのできる時期を示す時間制約を選択し、前記優先コードと関係付けるために、選択された電話番号が付帯する入信電話呼び出しを電話ユーザーの電話が受け取る時間の間の電話ユーザーの電話が入信電話呼び出しを受け取ることのできる状況を示す電話利用状況を選択し、前記優先コードと関係付けるために処理オプションを選択することができるようにする電話ユーザーコンピューターであって、優先コードを、前記選択された時間制約と、前記選択された電話利用状況と、前記選択された処理オプションとに基いて、選択された各電話番号に割り当てる、電話ユーザーコンピューターと、
前記電話ユーザーコンピューターから、選択された各電話番号に対する前記優先コードを受け取ることのできる、電話サービスプロバイダーのインターネットウェブサイトと、
選択された各電話番号に対する前記優先コードを記憶するために、前記ウェブサイトと共に作動可能な電話サービスプロバイダーのデータベースと、
電話ユーザーの電話への入信電話呼び出しに付帯する電話番号が、選択された電話番号の内の１つであるか否かを判定するために、前記データベースと共に作動可能な電話サービスプロバイダーのプロセッサであって、更に、前記電話番号が、電話ユーザーの電話が入信電話呼び出しを受け取る期間と、電話ユーザーの電話が入信電話呼び出しを受け取る時間の間の電話利用状況とに基づく選択された電話番号である場合、前記入信電話呼び出しを、入信呼び出しに付帯する電話番号に割り当てられている前記優先コードに関係付けられている前記処理オプションに従って管理するよう作動可能であるプロセッサと、を備えていることを特徴とするシステム。
【請求項２３】
前記データシステムはウェブベースであることを特徴とする、請求項２２に記載のシステム。
【請求項２４】
電話ユーザーの電話への入信電話呼び出しの処理を、電話ユーザーが定めた優先コード付け方式に基いて制御するためのシステムにおいて、各電話呼び出しには、それぞれ電話番号が付帯しており、前記システムは、
電話ユーザーが、電話番号を選択して優先コードを割り当てることができるように作動可能なタッチスクリーンディスプレイを有している電話であって、前記電話は、時間制約を選択して前記優先コードと関係付けるように作動可能であり、前記時間制約は、電話ユーザーの電話が、選択された電話番号が付帯する入信電話呼び出しを受け取ることのできる時期を示しており、前記電話は、電話利用状況を選択して前記優先コードと関係付けるように作動可能であり、前記電話利用状況は、選択された電話番号が付帯する入信電話呼び出しを電話ユーザーの電話が受け取る時間の間の、電話ユーザーの電話が入信電話呼び出しを受け取ることのできる状況を示しており、前記電話は、更に、処理オプションを選択して前記優先コードと関係付けることができるように作動可能である、電話と、
前記選択された各電話番号に対する前記優先コードを記憶するよう作動可能なメモリ媒体と、
入信電話呼び出しの電話番号を前記タッチスクリーンディスプレイに表示するよう作動可能な電話内のプロセッサであって、前記プロセッサは、電話への入信電話呼び出しの電話番号が、選択された電話番号の内の１つであるか否かを判定するよう作動可能であり、前記プロセッサは、更に、電話が入信電話呼び出しを受け取る時期と、電話が入信電話呼び出しを受け取る時間の間の電話利用状況とに基いて、入信電話呼び出しに付帯する選択された電話番号に割り当てられた前記優先コードに関係付けられている前記処理オプションに従って、入信電話呼び出しを管理するよう作動可能である、プロセッサと、を備えていることを特徴とするシステム。
【請求項２５】
前記メモリ媒体は、前記電話内に収容されていることを特徴とする、請求項２４に記載のシステム。
【発明の詳細な説明】
【技術分野】
【０００１】
本発明は、優先コードを割り当てて、掛かってくる電話呼び出し（以後、入信電話呼び出し）の処理オプションを指示することによって、電話ユーザーに対する入信電話呼び出しを選択的に処理できるようにする方法及びシステムに関する。
【背景技術】
【０００２】
電話は、伝達手段として人々の生活に欠かせないものになっている。しかしながら、入信電話呼び出しは、個人の生活にとって妨げになることもあるし、不都合なこともある。一方では、特定の重要な電話呼び出しを逃したくない場合もある。このように、人々は、電話呼び出しによって生活に生じる妨害を制御したいと望んでいる。
【０００３】
電話サービスは、電話ユーザーへの入信電話呼び出しを管理するのに利用することができる。サービスには、入信呼び出しを遮断すること、呼び出しを応答代行サービスへ転送すること、又は呼び出しを別の電話へ転送することが含まれている。しかしながら、これらのサービスは、全ての入信呼び出しを、選択性又は精度を備えていない同じ方法で処理するものである。
【０００４】
Ｓｈｅｉｎｂｅｉｎ（Ｓｈｅｉｎｂｅｉｎ）に発行された米国特許第４，２７７，６４９号は、呼び出し元の身元に基いて、入信電話呼び出しを選別するためのシステムを提供している。Ｓｈｅｉｎｂｅｉｎは、電話ユーザーの電話への入信電話呼び出しを処理するのに、中継局を使って電話のユーザーの選別メモリを保持している。Ｓｈｅｉｎｂｅｉｎのシステムのセットアップでは、電話ユーザーは、電話自体を使用して、電話ユーザーの電話への入信電話呼び出しを処理するための優先性の設定をセットするため、限界があり、時間が掛かり、不便である。
【０００５】
従って、電話ユーザーが、自分の電話への入信電話呼び出しに対する、より多くのオプションと優れた柔軟性と精度を提供する、処理オプションを容易に選択できるようにする方法及びシステムが必要とされている。
【０００６】
【特許文献１】米国特許番号第４，２７７，６４９号
【発明の開示】
【課題を解決するための手段】
【０００７】
従って、本発明の目的は、関連する先行技術の制約と不都合な点による１つ又は複数の問題を実質的に取り除く方法及びシステムを提供することである。
【０００８】
本発明は、上記及びその他の目的を実行するに際し、電話ユーザーの電話への入信電話呼び出しを管理するための方法を提供する。各入信電話呼び出しには、それぞれ電話番号が付帯している。本方法は、電話番号を選択して、優先コードと、時間制約と、電話利用状況と、処理オプションとを割り当てる段階を含んでいる。時間制約は、選択された各電話番号の優先コードと関係付けるために、電話ユーザーの電話が、選択された電話番号が付帯する入信電話呼び出しを受け取ることのできる期間を示している。時間制約は、更に、期日制約で定義することもできる。電話利用状況は、選択された各電話番号の優先コードと関係付けるために、電話ユーザーの電話が、選択された電話番号が付帯する入信電話呼び出しを受け取る時間の間の、電話呼び出しを受け取ることのできる電話ユーザーの電話の状況を示している。割り当てられた優先コードと、選択された各電話番号に対する関係パラメーターは、メモリ媒体内に記憶される。
【０００９】
本発明は、更に、電話ユーザーの電話への入信電話呼び出しに付帯する電話番号が、選択された電話番号の内の１つであるかを判定するための方法を提供する。入信電話呼び出しに付帯する電話番号が選択された電話番号である場合、本発明は、メモリ媒体にアクセスし、優先コードと、入信中の選択された電話番号に割り当てられている関係パラメーターを判定する。
【００１０】
本発明は、入信電話呼び出しに付帯する電話番号が、選択された電話番号の内の１つでないかを判定するための方法を提供する。本方法は、選択された電話番号の内の１つではない入信電話呼び出しに対して所定のデフォルト処理オプションを選択し、デフォルト処理オプションに従って入信電話呼び出しを管理する。
【００１１】
本発明は、入信電話呼び出しを、緊急の電話番号であると認識し、入信電話呼び出しを全処理オプションに従って管理して、電話ユーザーが確実に受け取れるようにするための方法を含んでいる。電話ユーザーは、緊急電話番号を定義することができる。
【００１２】
本発明は、電話発信人が、入信電話呼び出しの設定と共に特別優先コードを入力した場合、入信電話呼び出しを緊急電話番号として割り当てるための方法を含んでいる。
【００１３】
処理オプションは、選択された電話番号に関係付けられた入信電話呼び出しを、ボイスメールシステム、ページャー、携帯電話、電話ユーザーが指定した電話番号、又は呼び出し待機システムへ転送する段階を含んでいる。処理オプションは、更に、選択された電話番号に関係付けられた入信電話呼び出しを、直接ｅメールシステムに変換する段階を含んでいる。
【００１４】
本発明は、電話のユーザーが電話を使用しているときには、電話のユーザーに、入信電話呼び出しに付帯する電話番号を提供する。ディスプレイは、入信電話呼び出しの電話の呼び出し人の身元、及び優先コードに基づく入信電話呼び出しに対する処理オプションのような、入信電話呼び出しに関する追加情報を提供する。ディスプレイは、電話のユーザーに、入信電話呼び出しに関するオーバーライド処理オプションを提供することもできる。電話のユーザーが、オーバーライド処理オプションを選択すると、本発明は、電話のユーザーが選択したオーバーライド処理オプションを実行する。電話のユーザーが前記提供する段階に応答しない場合、本発明は、入信電話呼び出しの電話番号に関係付けられた、選択されている処理オプションを実行する。
【００１５】
本発明は、対話式インターネットウェブサイトにアクセスして、ユーザーが選択した電話番号に優先コードを割り当てる方法を提供する。本方法は、ウェブサイトにアクセスし、時間制約を選択して、選択された各電話番号の優先コードと関係付け、電話利用状況を選択して、選択された各電話番号の優先コードと関係付け、処理オプションを選択して、選択された各電話番号の優先コードと関係付ける。
【００１６】
本発明は、メモリ媒体にアクセスして、電話ユーザーの電話への入信電話呼び出しに付帯する電話番号が、選択された電話番号の内の１つであるかを判定するための方法を提供する。本発明は、メモリ媒体にアクセスし、入信電話呼び出しに付帯する選択された電話番号に割り当てられている優先コードに関係付けられた処理オプションに従って、入信電話呼び出しを管理する。
【００１７】
本発明は、メモリ媒体にアクセスして、入信電話呼び出しに付帯する電話番号が、選択された電話番号の内の１つでないかを判定するための方法を提供する。本方法は、入信電話呼び出しに付帯する電話番号が選択された電話番号の内の１つでない場合、電話サービスプロバイダのプロセッサを利用して所定のデフォルト処理オプションを選択し、デフォルト処理オプションに従って入信電話呼び出しを管理する。電話サービスプロバイダのプロセッサは、ウェブベースのプロセッサでもよい。
【００１８】
本発明は、メモリ媒体にアクセスして、入信電話呼び出しを緊急電話番号と認識し、電話サービスプロバイダのプロセッサを使って、入信電話呼び出しを全処理オプションに従って管理し、ユーザーが確実に受け取れるようにするための方法を提供する。ユーザーは、ウェブサイトにアクセスして、緊急電話番号を指定し、緊急電話番号をメモリ媒体に記憶させる。メモリ媒体は、ウェブベースのデータベースでもよい。
【００１９】
更に、本発明は、上記及びその他の目的を実行するに際し、電話ユーザーの電話への入信電話呼び出しを管理するための方法を提供しており、各入信電話呼び出しにはそれぞれの電話番号が付帯している。本方法は、電話ユーザーの電話で、選択された電話番号に優先コードを割り当てる。ユーザーは、時間制約と、電話利用状況と、処理オプションを選択して、選択された各電話番号の優先コードと関係付け、電話ユーザーの電話に入力する。時間制約は、電話ユーザーの電話が、選択された電話番号が付帯している入信電話呼び出しを受け取ることのできる期間を示している。電話の利用状況は、電話ユーザーの電話が、選択された電話番号が付帯している入信電話呼び出しを受け取る時間の間の、入信電話呼び出しを受け取ることのできる電話ユーザーの電話の状況を示している。
【００２０】
本発明は、選択された時間制約と、選択された電話利用状況と、選択された処理オプションとに基いて、優先コードを、選択された各電話番号に割り当てるための方法を提供する。本方法は、選択された各電話番号に関する、優先コードと、関係するパラメーターとを、電話ユーザーの電話内のメモリ媒体に記憶する。
【００２１】
本発明は、更に、電話ユーザーの電話への入信電話呼び出しに付帯する電話番号が、選択された電話番号の内の１つであるかを判定するための方法を提供する。本発明は、入信電話呼び出しに付帯する電話番号が、選択された電話番号の内の１つである場合は、メモリ媒体にアクセスし、入信電話呼び出しに付帯する選択された電話番号に割り当てられた優先コードを判定する。メモリ媒体は、電話番号に関係付けられた関係する時間制約と、電話番号に関係付けられた関係する電話利用状況と、電話番号に関係付けられた関係する処理オプションとを備えた優先コードを記憶している。時間制約は、電話ユーザーの電話が、入信電話呼び出しを受け取る期間である。電話利用状況は、電話ユーザーの電話が、入信電話呼び出しを受け取る時間の間の、電話ユーザーの電話の状況である。処理オプションは、入信電話呼び出しに付帯する選択された電話番号に割り当てられている優先コードに関係付けられた処理オプションに従って、選択された電話番号が付帯する入信電話呼び出しを管理する。メモリ媒体は、電話ユーザーの電話の中に収容されている。
【００２２】
更に、本発明は、上記及びその他の目的を実行するに際し、電話ユーザーによって定められた優先コード方式に基いて、電話ユーザーの電話への入信電話呼び出しの処理を制御するためのシステムを提供する。各入信電話呼び出しには、それぞれ電話番号が付帯している。本発明は、電話ユーザーが電話番号を選択し、時間制約と、電話利用状況と、処理オプションとを選択して、優先コードと関係付けることによって優先コードを割り当てることができるようにする電話ユーザーコンピューターを提供する。時間制約は、電話ユーザーの電話が、選択された電話番号が付帯する入信電話呼び出しを受け取ることができる期間を示している。電話利用状況は、電話ユーザーの電話が、選択された電話番号が付帯する入信電話呼び出しを受け取る時間の間の、入信電話呼び出しを受け取ることができる電話ユーザーの電話の状況を示している。
【００２３】
本発明は、電話サービスプロバイダでのインターネットウェブサイトを含んでいる。ウェブサイトは、電話ユーザーのコンピューターから、選択された各電話番号に対する優先コードを受け取るよう作動する。本発明は、更に、選択された各電話番号に対する優先コードを記憶するために、ウェブサイトで操作できる電話サービスプロバイダのデータベースを含んでいる。本発明は、更に、電話ユーザーの電話への入信電話呼び出しに付帯する電話番号が、選択された電話番号の内の１つであるかを、データベースで判定する電話サービスプロバイダのプロセッサを提供する。プロセッサは、更に、電話番号が選択されている電話番号である場合、入信呼び出しに付帯する電話番号に割り当てられた優先コードに関係付けられた処理オプションに従って、入信電話呼び出しを管理することができる。優先コードは、電話ユーザーの電話が、入信電話呼び出しを受け取る期間と、電話ユーザーの電話が入信電話呼び出しを受け取る時間の間の電話利用状況とに基いている。データベースは、ウェブベースであってもよい。
【００２４】
更に、本発明は、上記及びその他の目的を実行するに際し、電話ユーザーによって定められた優先コード方式に基いて、電話ユーザーの電話への入信電話呼び出しの処理を制御するためのシステムを提供する。各電話呼び出しには、それぞれの電話番号が付帯している。電話は、電話ユーザーが、電話番号を選択して優先コードを割り当てることのできるタッチスクリーンディスプレイを備えている。電話は、更に、時間制約と、電話利用状況と、処理オプションとを選択して、優先コードに関係付けることができる。時間制約は、電話ユーザーの電話が、選択された電話番号が付帯する入信電話呼び出しを受け取ることができる期間を示している。電話利用状況は、電話ユーザーの電話が、選択された電話番号が付帯する入信電話呼び出しを受け取る時間の間の、入信電話呼び出しを受け取ることができる電話ユーザーの電話の状況を示している。
【００２５】
本発明は、選択された各電話番号に対する、優先コードと、関係付けられたパラメーターとを記憶することのできるメモリ媒体を提供する。メモリ媒体は、電話の中に収容することができる。本発明は、更に、入信電話呼び出しの電話番号をタッチスクリーンディスプレイ上に表示することのできる電話内プロセッサを提供する。プロセッサは、電話への入信電話呼び出しの電話番号が、選択された電話番号の内の１つであるかを判定する。プロセッサは、更に、電話が入信電話呼び出しを受け取る期間と、電話が入信電話呼び出しを受け取る時間の間の電話利用状況とに基いて、入信電話呼び出しに付帯する選択された電話番号に割り当てられた優先コードに関係付けられた処理オプションに従って、入信電話呼び出しを管理することができる。
【発明を実施するための最良の形態】
【００２６】
図１は、本発明の方法及びシステムによる、電話ユーザーが、電話ユーザーの電話へ入信する可能性のある電話呼び出しに付帯する選択された電話番号へ、優先コードを割り当てるための段階を示すフローチャート１０を示している。一般的に、電話ユーザー（即ち、電話の受信人）の電話に入信する電話呼び出しには、電話番号が付帯している。入信電話呼び出しの電話番号は、電話呼び出し元（即ち、電話発信人）を特定する。
【００２７】
フローチャート１０は、段階１２で、電話ユーザーが電話番号を選択することから始まる。選択された電話番号は、電話ユーザーの電話へ入信する可能性のある電話呼び出し元を特定する。次に、段階１４で、電話ユーザーは時間パラメーターを選択し、選択された電話番号と関係付ける。時間パラメーターは、通常、一日の内の時間と分の文脈で与えられる。例えば、選択される時間パラメーターは、一日の内の午後２：００から５：１５までである。
【００２８】
段階１４で、電話ユーザーは、日付及び／又は曜日を選択された電話番号と関係付けることによって、選択された時間パラメーターを更に定義することができる。例えば、日付パラメーターは、月の「１５日」及び「３０日」である。同様に、曜日パラメーターは、週の土曜日及び日曜日である。段階１４では、電話ユーザーは、開始時間パラメーター及び終了時間パラメーターを、開始及び終了日付パラメーターと共に選択する。
【００２９】
次に、段階１６で、電話ユーザーは、電話利用状況を選択し、選択された電話番号と関係付ける。電話利用状況は、入信電話呼び出しが到着するときに、電話受信人が電話を使っているか否かを特定する。電話利用状況パラメーターは、入信電話呼び出しの処理を指示するに際して、ユーザーに相当な精度を提供する。例えば、電話利用状況は、電話を掛けている状況、掛けていない状況、呼び出し待機状況、呼び出し保留状況、ファックスしている状況、及び全ての状況を含んでいる。電話ユーザーは、次に、段階１８で、呼び出し処理オプションを選択し、選択された電話番号が付帯する入信電話呼び出しと関係付ける。選択された電話番号が付帯する入信電話呼び出しに対する処理オプションには、入信電話呼び出しをページャーへ転送すること、入信電話呼び出しを携帯電話に転送すること、入信電話呼び出しを電話ユーザーの別の電話に転送すること、入信電話呼び出しをボイスメールシステムへ転送すること、入信電話呼び出しを呼び出し待機システムに送ること、入信電話呼び出しをｅメールに変換すること、入信電話呼び出しを保留にすること、発信人の電話番号を遮断すること、などが含まれる。
【００３０】
電話ユーザーが行ったパラメーター選択に則った優先コードが、次に、段階２０で、選択された電話番号に割り当てられる。優先コード付けは、様々な方法で設定することができる。或る実施形態は、電話ユーザーが選択したパラメーター及び処理オプションに従って、システムに、優先番号を割り当てさせる。この実施形態では、システムが、固有の優先コードを、選択された各電話番号に処理オプション及びパラメーター選択の関数として自動的に付与することになる。
【００３１】
優先コード付けに関するもう１つの実施形態は、別個の優先コードを有することであり、電話のユーザーは、優先コードを選択し、選択された電話番号に全てのパラメーターと共に割り当てる。例えば、優先コードは１から１０の範囲に亘り、優先コード１は優先度の点では最も重要で、優先コード１０は最も重要でないというようにすることができる。電話のユーザーは、優先コードを選択し、他のパラメーターと共に選択された電話番号に関係付ける。選択された電話番号が付帯する入信電話呼び出しは、次に、電話のユーザーが選定したパラメーター及び優先コードに従って処理される。どちらの実施形態でも、選択された電話番号は、幾つかのの優先コードを有することになる。電話のユーザーは、同じ電話番号に異なる処理パラメーターを選択し、結果的にその電話番号の優先コードが複数になるようにすることもできる。例えば、或る番号は、平日の午前９時から午後５時の間の呼び出しに対しては優先コードを高く設定し、一方、平日の午後９時から午前６時の同じ番号からの呼び出しに対しては、優先度の低いコードを設定することもできる。
【００３２】
次に、段階２２で、選択された各電話番号に対する優先コード及び選択されたパラメーターは、メモリ媒体に記憶される。メモリ媒体は、どの様な記憶メモリ装置、データベースなどでもよい。メモリ媒体は、電話ユーザーの電話内に配置してもよいし、電話サービスプロバイダのデータベース内に維持してもよい。
【００３３】
次に、段階２４で、電話ユーザーは、優先コード付けに関し別の電話番号を選択したいか否か問われる。段階２６で、電話ユーザーがイエスを選択すると、段階１２から２４が繰り返される。段階２８で、電話ユーザーがノーを選択すると、フローチャート１０は段階３０で終了する。
【００３４】
図２は、本発明の方法及びシステムによる入信電話呼び出しの処理に関する段階を示すフローチャート４０である。フローチャート４０は、先ず段階４２で、入信電話呼び出しが選択された電話番号と関係しているか否か判定する。入信電話呼び出しが、段階４４で判定されたように選択された電話番号と関係していない場合は、段階４６で、選択されていない電話番号用のデフォルト処理オプションが、入信電話呼び出しに割り当てられる。
【００３５】
段階４８で、入信電話呼び出しが、選択された電話番号に関係していると判定された場合、次に段階５０で、メモリ媒体にアクセスし、電話ユーザーが設定したパラメーターに基いて処理オプション及び優先コードを検索する。
【００３６】
フローチャート４０は、入信電話呼び出しが、選択された電話番号と関係しているか否かに関わらずどちらのシナリオでも、電話ユーザーの電話のタッチスクリーンを使って、段階５２で、番号、身元、処理オプションを表示し、入信電話呼び出しに対する追加のオーバーライドオプションを提供し続けている。オーバーライドオプションは、処理オプションであるが、デフォルト選択された処理オプションではない。
【００３７】
次に、段階５４で、システムは、電話ユーザーが、オーバーライドオプションを選択するか、オーバーライドオプションを断るか、行動を取らないか、を判定する。電話ユーザーが段階５６でオーバーライドオプションを選択すれば、段階５８で、システムは、電話ユーザーが選択したオーバーライド処理オプションを実行する。
【００３８】
段階６０で、電話ユーザーがデフォルト処理オプションを選択しないか、又は応答しない場合、段階６２で、システムはデフォルト処理オプションを実行する。システムが、反応が無いことに基きデフォルト処理オプションを選択するまでの時間の長さは、電話ユーザーが、例えば１秒から５分の間のどこからでも選んで調節することができる。
【００３９】
図３は、本発明の方法及びシステムを実施することのできる好適なハードウェア構成８０を示す概略図である。構成８０は、電話ユーザー８２、ウェブサイト８４、メモリデータベース８６、及び互いと対話する電話サービスプロバイダーのプロセッサ８８を含んでいる。電話ユーザーのコンピューターインタフェース９０は、インターネット９２を介してウェブサイト８４と対話する。電話ユーザー８２は、コンピューターインタフェース９０にアクセスして、パラメーターを選択し、選択された電話番号に優先コードを割り当てる。
【００４０】
電話サービスプロバイダーは、ウェブサイト８４とメモリデータベース８６を維持している。電話ユーザー８２は、ウェブサイト８４にアクセスして、パラメーターを選択し、選択された電話番号に優先コードを割り当てる。選択されたパラメーター及び割り当てられた優先コードは、メモリデータベース８６内に保持される。電話サービスプロバイダーのプロセッサー８８は、入信電話呼び出し９６を電話ユーザー８２の電話９８が受け取ると、メモリデータベース８６にアクセスする。電話サービスプロバイダーのプロセッサ８８は、電話ユーザー８２が選択したパラメーター及び優先コードに従って、入信電話呼び出しを管理する。
【００４１】
例えば、電話発信人９４が、電話呼び出し９６を電話ユーザー８２の電話９８へ送るとき、入信電話呼び出し９６は、先ず電話発信人９４から電話サービスプロバイダーのプロセッサ８８へ送られる。電話サービスプロバイダーのプロセッサ８８は、入信電話呼び出し９６の身元を判定する（即ち、電話番号を判定する）。電話サービスプロバイダーのプロセッサ８８は、メモリデータベース８６にアクセスし、入信電話呼び出し９６に付帯する電話番号が選択された電話番号か否か確認する。
【００４２】
入信電話呼び出し９６の電話番号がメモリデータベース８６に記憶されている選択された電話番号でない場合、電話サービスプロバイダーのプロセッサ８８は、選択されていない電話番号用の電話ユーザー指定の処理オプションに従って、入信電話呼び出しを管理する。しかしながら、入信電話呼び出し９６の電話番号がメモリデータベース８６に記憶されている選択された電話番号である場合、電話サービスプロバイダーのプロセッサ８８は、電話ユーザー指定の処理オプション及び／又は割り当てられた優先コードに従って、入信電話呼び出し９６を管理する。
【００４３】
入信電話呼び出し９６を管理する前に、電話サービスプロバイダーのプロセッサ８８は、電話ユーザー８２の電話９８へ情報を送る。情報には、入信中の発信人の身元、入信中の発信人の番号、入信中の電話番号の優先コード、及びパラメーターに基づく処理オプションが含まれる。電話９８は、入信中の電話呼び出し９６の情報を、オーバーライディング処理オプションと共に、電話のタッチスクリーンのディスプレイ１００上に表示する。オーバーライディング処理オプションは、電話のユーザー８２が、入信中の電話呼び出し９６の管理を修正できるようにする。電話サービスプロバイダーのプロセッサ８８は、電話ユーザー８２が応答しない場合、所定の処理オプションを自動的にデフォルトで指定する。しかしながら、電話ユーザー８２がオーバーライディング処理オプションを選択した場合、電話サービスプロバイダーのプロセッサ８８は、選択されたオーバーライディング処理オプションを実行する。
【００４４】
電話サービスプロバイダーのプロセッサ８８によって提供される処理オプションには、入信電話呼び出し９６をページャー１０２に転送すること、入信電話呼び出しを携帯電話１０４に転送すること、入信電話呼び出しを別の電話１０６に転送すること、入信電話呼び出しをボイスメールシステム１０８に転送すること、入信電話呼び出しを呼び出し待機１１０に転送すること、入信電話呼び出しをｅメール１１２に変換すること、入信電話呼び出しを保留１１４にすること、及び入信電話呼び出しを遮断すること１１６、が含まれる。
【００４５】
入信電話呼び出し９６のｅメールへの変換は、幾つかの方法で行うことができる。１つの方法は、電話発信人からの情報をｅメールのメッセージへ変換し、次に、ｅメールを電話ユーザーのｅメールアドレス１１２へ送る応答サービスを有することである。応答サービスには、電話発信人９４からの情報を受け取り、メッセージを、ｅメール１１２を介して、或いはテキスト互換ページャ１０２へ送る人がいる。
【００４６】
入信電話呼び出し９６をｅメールへ変換する別の方法は、入信電話呼び出し９６からの関連情報を変換し、それを、ｅメール１１２として、又はテキスト互換ページャー１０２へ送るプログラムである。例えば、ｅメール変換オプションが選択された場合、電話サービスプロバイダーのプロセッサ８８のシステムは、入信電話呼び出し９６に付帯する電話番号、入信電話の発信人９４の身元、電話呼び出しの時間、及び電話呼び出しの日付と共に、ｅメールメッセージを送る。
【００４７】
保留オプション１１４は、標準的な挨拶、又は、例えば「只今呼び出しています。申し訳ありませんが暫くお待ちください」という事前に記録されているメッセージを最初に送ることにより、電話サービスプロバイダーのプロセッサ８８で実行される。次に、電話サービスプロバイダーのプロセッサ８８は、電話発信人９４を保留状態にする。タッチスクリーン１００は、保留にしている入信電話呼び出し９６に関する情報と、電話ユーザー８２が、保留中の電話を取るか、ボイスメールへ送るオプションを表示する。
【００４８】
別の実施形態では、電話発信人９４は、電話ユーザー８２に向け発信される電話呼び出し９６の処理を指示することのできる複数の優先コードの内の１つの優先コードを入力する。電話サービスプロバイダーのプロセッサ８８は、優先コード付けに従って呼び出し９６を管理する。例えば、電話発信人９４は、発信される電話呼び出し９６を緊急電話呼び出しとして指定する優先コードを入力するかもしれない。プロセッサー８６は、電話ユーザー８２指定の緊急電話呼び出し用のパラメーターに従って、呼び出し９６を処理することになる。
【００４９】
更に別の実施形態では、電話ユーザー８２は、各固有の電話発信人に優先コード付けを割り当てる。電話発信人９４は、電話呼び出し９６を行う間に、優先コード付けを入力する。プロセッサー８８は、関係付けられた優先コードに割り当てられたユーザー指定のパラメーターに従って、呼び出しを処理する。プロセッサー８８は、優先コード無しの入信電話呼び出しを、ユーザー８２指定の処理オプションに従って処理する。ここで、電話発信人９４は、電話ユーザー８２に向け発信される電話呼び出し９６の優先処理を獲得することもできる。
【００５０】
図４は、優先コードとパラメーターの選択された電話番号への割り当てを示すスクリーン表示表１２０である。スクリーン表示表１２０は、ウェブページでもよく、メモリルックアップ表又はメモリデータベース８６用のベースとしての働きもする。電話ユーザー８２は、スクリーン表示表１２０にアクセスして、入信電話呼び出しの優先コード付けに関するパラメーターを選択する。
【００５１】
スクリーン表示表１２０の「電話番号」と題する列１２２は、選択された電話番号を表示している。列１２２の電話番号は、プルダウンメニュー１２４によって選択することもできるし、電話ユーザー８２からの入力で選択することもできる。「身元」と題する列１２６は、選択された電話番号及び関係付けられたパラメーターの識別を表示している。列１２６の識別は、電話番号に関するデフォルトリストでもよいし、電話ユーザー８２が定義してもよい。例えば、「Ｊｏｈｎ  Ｄｏｅ  Ｅｖｅｎｉｎｇ」１２８は、識別と、入信呼び出し９６の時間を示すために電話ユーザー８２が入力してもよい。
【００５２】
次に、電話ユーザー８２は、列１３０で、選択された各電話番号に対して日付パラメータを選択することができる。電話ユーザー８２は、選択された各電話番号に対して処理オプションに関する開始日１３２と終了日１３４を選択することができる。列１３２及び１３４は、平日、週末、又は電話ユーザー８２により定義された、事前選択された日の制約に関する選択のようなオプションを提供してもよい。
【００５３】
列１３５は、電話ユーザー８２に、入信電話呼び出しの処理に関する開始時間１３６と終了時間１３８を選択するためのオプションを提供する。列１３６と１３８は、終日、午後、夕方、又はユーザーに定義された何らかの別の時間設定のようなデフォルトオプションを提供してもよい。
【００５４】
スクリーンの表表示１２０の「電話状況」と題する列１４０は、入信電話呼び出しを受け取ると、電話利用状況１４０を表示する。電話利用状況１４０は、入信電話呼び出し９６の処理を指示するに際して、電話のユーザー８２に相当の精度を提供する。電話ユーザー８２の電話１００の電話状況は、電話を掛けている状況、掛けていない状況、ファックスしている状況、呼び出し待機状況、ユーザー８２が定義した４つのオプションの何れかの組み合わせ、として定義することもできる。
【００５５】
列１４２で、電話ユーザー８２は、列１２２の各電話番号が付帯する入信電話呼び出し９６に対する処理オプションを選択する。処理オプションは、入信電話呼び出し９６のページャー１０２への転送、入信呼び出しの携帯電話１０４への転送、入信電話呼び出しの別の電話番号１０６への転送、入信呼び出しのボイスメールシステム１０８への転送、入信電話呼び出しの呼び出し待機への転送、入信電話呼び出しのｅメールへの変換、入信電話呼び出しの保留、又は入信電話呼び出しの遮断１１６、と定義することもできる。電話ユーザー８２は、列１４２で処理オプションの名称を定義することもできる。例えば、ユーザー８２は、処理オプションの名称を「トムのセルに転送」と定義して、処理オプションを特定の携帯電話番号に指定し、他の携帯電話番号から区別することもできる。
【００５６】
電話ユーザー８２は、入信電話呼び出しの処理に関して選択されたパラメーターを見直すこともできる。電話ユーザー８２は、選択された電話番号に関する識別を編集して、その優先コードリスト設定に関する選択された電話呼び出しの処理に更に細かく参照符号を付けることもできる。例えば、ユーザーは、電話番号を「Ｊｏｈｎ  Ｄｏｅ夕方」１２８と定義し、選択されている電話番号の夕方の処理を示し、「Ｊｏｈｎ  Ｄｏｅ平日朝」１４４と定義して、選択されている電話番号の平日朝の間の処理を更に明確に示すことができる。
【００５７】
優先コード１４６は、システムが割り当ててもよいし、ユーザーが選択してもよい。優先コーティング１４６の割り当ては、先に述べたように実行することができる。
【００５８】
電話ユーザー８２は、スクリーン表示表１２０の次の列へ進んで、同じ電話番号に対して異なるパラメーターを選択するか、別の電話番号を選択する。スクリーン表示表１２０は、パラメーターの選択の間にデフォルトオプションを提供して、選択を更に迅速にし、プルダウンメニュー１２４でオプションを提供することもできる。
【００５９】
図５は、本発明の方法を実施できる電話９８を示す概略図である。電話９８は、番号キーパッド１５０、タッチスクリーンディスプレイ１００及びオプションボタン１５２のような、電話に設けられている典型的な特徴を備えている。電話９８は、電話内にメモリ媒体１５４を収納しておくこともできる。
【００６０】
図６ａ及び６ｂは、電話ユーザー８２が、選択された電話番号にパラメーターと優先コードを割り当てられるようにする電話タッチスクリーンの表示を示すフローチャート１６０である。先ず、電話ユーザー８２は、スクリーン表示１６２内の優先コードを割り当てるため電話番号を選択する。スクリーン表示１６２は、電話番号の入力に際し、数字パッド１６４を使って電話番号を入力するか、既に電話メモリ媒体１６６内にある番号を選択するか、のような複数の選択肢を表示することもできる。電話ユーザー８２は、対応するオプションボタン１５２を押すか、又はタッチスクリーンディスプレイ１００上でオプションを選択することによって、提供されるオプションを選択することができる。
【００６１】
スクリーン表示１７０は、選択された電話番号のメモリ位置を選択するための選択肢を表示している。メモリ位置番号の番号１７２は、電話メモリ媒体１５４のメモリ容量に基いている。スクリーン表示１７０は、メモリ媒体１７４内の次に使用可能な位置番号を提供することもできるし、或いは、数字パッド１７６を使ってメモリ位置を入力することもできる。選択過程を通して、タッチスクリーンディスプレイ１００は、使用可能な場合、「ＧＯ  ＢＡＣＫ」へのオプション１７８を提供することに注目頂きたい。「ＧＯ  ＢＡＣＫ」オプション１７８を使えば、電話ユーザー８２は、前の段階又は前のタッチスクリーン表示へ行くことができる。
【００６２】
スクリーン表示１８０で、電話ユーザー８２は、選択された電話番号に関係付けるための開始日制約を入力する。スクリーン表示１８０は、電話ユーザー８２に、開始日１８２を入力するよう要求する。スクリーン表示１８０は、対応するオプションボタン１６８付の週の曜日１８４、或いは全曜日１８５を選択するためのオプションを提供している。
【００６３】
スクリーン表示１８６は、電話ユーザー８２に、終了日制約１８８を入力するよう提案する。スクリーン表示１８６は、開始日１８０を入力するためのスクリーン表示と同じオプションを提供する。しかしながら、電話ユーザー８２が、開始日表示スクリーン１８０で全日を選択していれば、終了日表示スクリーン１８６は提供されない。
【００６４】
スクリーン表示１９０では、電話ユーザー８２は、選択されている電話番号に関係付けるための開始時間制約を、数字パッド１９１を使って入力するよう求められる。電話ユーザー８２は、開始時間１９２を入力し、次に、ＡＭ１９４又はＰＭ１９６を選択する。スクリーン表示１９０は、更に、電話ユーザー８２に、終日を選択するオプション１９７を提供する。
【００６５】
次いでスクリーン表示２００で、電話ユーザー８２は、数字パッドを使って終了時間制約２０２を入力する。電話ユーザー８２が、開始時間スクリーン表示１９０で終日オプション１９７を選択していれば、終了時間スクリーン表示２００は提供されない。
【００６６】
スクリーン表示２１０は、電話ユーザー８２に、電話利用状況２１１を選択するよう要求する。電話利用状況には、電話を掛けている状況２１２、掛けていない状況２１４、呼び出し待機状況２１６、ファックスしている状況２１８、及び全ての電話利用状況２１９が含まれる。
【００６７】
タッチスクリーン表示２２０で、電話ユーザー８２は、選択された電話番号２２１と関係付けるための処理オプションを選択する。処理オプションには、入信電話呼び出し９６のページャー２２２への転送、入信呼び出しの携帯電話２２３への転送、入信電話呼び出しの別の電話２２４への転送、入信呼び出しのボイスメールシステム２２５への転送、入信電話呼び出しの呼び出し待機２２６への転送、入信電話呼び出しのｅメール２２７への変換、入信電話呼び出しの保留２２８、又は入信電話呼び出しの遮断２２９などが含まれる。
【００６８】
スクリーン２３０は、電話ユーザー８２が、選択された電話番号と関係付けるために優先コード付けを選択した場合に提供される。スクリーン表示２３０は、異なるレベルの優先度を提供し、１が最も重要度が高い２３１で、１０が最も重要度が低い２３２である。
【００６９】
選択された電話番号、優先コード、及び関係付けられたパラメーターは、電話のメモリ媒体１５４に記憶される。本発明は、入信電話呼び出しが到着したとき、メモリ媒体にアクセスする。
【００７０】
スクリーン表示２３４は、電話ユーザー８２に、別の電話番号を割り当てたいか否か尋ねる。電話ユーザー８２がＹＥＳ２３５を選択すれば、システムはスクリーン表示１６２に戻る。ユーザーがＮＯ２３６を選択すれば、システムはメインメニューに戻る。
【００７１】
図７は、電話ユーザーの電話２４０が入信電話呼び出しを受信した際の、電話のタッチスクリーン表示を示している。入信電話呼び出しを受信すると、入信電話呼び出しタッチスクリーン表示２４０は、電話番号２４２と電話番号の身元２４４を表示する。電話番号の身元２４４を、電話ユーザー８２は確認できる。スクリーン表示２４０は、全ての利用可能な処理オプション２４６及びデフォルトオプション２４８を提供する。デフォルトオプション２４８は、電話ユーザー８２が先に選択した処理オプションである。電話ユーザー８２が何の行動も取らなければ、デフォルトオプション２４８が、ユーザーの定義した時間内に実行される。しかしながら、電話ユーザー８２が別の処理オプション２４６を選択すれば、本方法及びシステムは、選択された処理オプションを優先させ、実行する。
【００７２】
緊急電話番号が入信すると、システムは特別な処理を付与する。緊急電話番号には、消防署、警察署又は医療センター、即ち病院などが含まれる。しかしながら、電話ユーザー８２は、緊急電話番号を定義することもできる。例えば、電話ユーザー８２は、両親又は子どもの電話番号を、緊急番号として定義することもできる。システムは、緊急電話呼び出しの入信を認識し、全処理オプションを実行して、電話ユーザー８２が確実に電話呼び出しを受け取れるようにする。
【００７３】
以上、本発明の実施形態を図示し説明してきたが、これらの実施形態で、本発明の全ての可能な形態を図示し説明したつもりはない。むしろ、本明細書に用いている用語は、限定ではなく説明のための用語であって、本発明の精神及び範囲から逸脱することなく、様々な変更を施し得るものと理解頂きたい。
【図面の簡単な説明】
【００７４】
【図１】本発明の方法及びシステムによる、電話ユーザーが、電話ユーザーの電話へ入信する可能性のある電話呼び出しに付帯する選択された電話番号へ、優先コードを割り当てるための段階を示すフローチャートである。
【図２】本発明の方法及びシステムによる、電話ユーザーの電話への入信電話呼び出しを処理するための段階を示すフローチャートである。
【図３】本発明の方法及びシステムを実施することのできる好適なハードウェアの構成を示す概略図である。
【図４】電話ユーザーによる、優先コードとパラメーターの、選択された電話番号への割り当てを示すウェブページスクリーン表示である。
【図５】本発明の方法及びシステムを実施することのできる、電話ユーザーの電話を示す図である。
【図６ａ】電話ユーザーが、選択された電話番号にパラメーターと優先コードを割り当てることができるようにする電話タッチスクリーン表示を示すフローチャートである。
【図６ｂ】電話ユーザーが、選択された電話番号にパラメーターと優先コードを割り当てることができるようにする電話タッチスクリーン表示を示すフローチャートである。
【図７】電話ユーザーの電話に入信電話呼び出しがきたときに呈示されているスクリーンを示す電話タッチスクリーン表示である。
【図１】
2005033783.tif 000003
【図２】
2005033783.tif 000004
【図３】
2005033783.tif 000005
【図４】
2005033783.tif 000006
【図５】
2005033783.tif 000007
【図６ａ】
2005033783.tif 000008
【図６ｂ】
2005033783.tif 000009
【図７】
2005033783.tif 000010
【外国語明細書】
2005033783.tif 000011
2005033783.tif 000012
2005033783.tif 000013
2005033783.tif 000014
2005033783.tif 000015
2005033783.tif 000016
2005033783.tif 000017
2005033783.tif 000018
2005033783.tif 000019
2005033783.tif 000020
2005033783.tif 000021
2005033783.tif 000022
2005033783.tif 000023
2005033783.tif 000024
2005033783.tif 000025
2005033783.tif 000026
2005033783.tif 000027
2005033783.tif 000028
2005033783.tif 000029
2005033783.tif 000030
2005033783.tif 000031
2005033783.tif 000032
2005033783.tif 000033
2005033783.tif 000034
2005033783.tif 000035
2005033783.tif 000036
2005033783.tif 000037
2005033783.tif 000038
2005033783.tif 000039
2005033783.tif 000040
2005033783.tif 000041
2005033783.tif 000042
2005033783.tif 000043
2005033783.tif 000044
2005033783.tif 000045
2005033783.tif 000046
2005033783.tif 000047